(57)【要約】【課題】火災感知器の設置現場等において、アドレス等の個別情報の設定および確認を専用の設定器を用いずに容易に行える火災感知器を提供すること。【解決手段】電気的に書き換え可能な不揮発性メモリに個別情報を記憶させる火災感知器において、操作入力可能な入力手段と、前記個別情報を表示する表示手段と、前記入力手段の操作に基づく入力された個別情報を前記表示手段に表示させるとともに、前記不揮発性メモリに書き込む制御手段と、を備えたことを特徴とする。【選択図】  図１
2004303084.tif 000002
【特許請求の範囲】
【請求項１】
電気的に書き換え可能な不揮発性メモリに個別情報を記憶させる火災感知器において、
操作入力可能な入力手段と、前記個別情報を表示する表示手段と、前記入力手段の操作に基づく入力された個別情報を前記表示手段に表示させるとともに、前記不揮発性メモリに書き込む制御手段と、を備えたことを特徴とする火災感知器。
【請求項２】
電気的に書き換え可能な不揮発性メモリに個別情報を記憶させる火災感知器において、
操作入力可能な入力手段と、前記個別情報を表示する表示手段と、前記入力手段の操作に基づいて前記不揮発性メモリに設定されている個別情報を読み出して前記表示手段に表示させる制御手段と、を備えたことを特徴とする火災感知器。
【請求項３】
入力手段は、外部に露出するスイッチである請求項１または２記載の火災感知器。
【請求項４】
制御手段は、入力手段の押圧回数に基づいて入力された個別情報を認識する請求項１または３記載の火災感知器。
【請求項５】
表示手段は、筐体に露出する表示灯の点滅点灯回数によって個別情報を表示する請求項１〜４記載の火災感知器。
【請求項６】
個別情報は、火災感知器のアドレス、種別、感度、火災閾値、故障閾値のうちの少なくとも１つである請求項１〜５記載の火災感知器。
【発明の詳細な説明】
【０００１】
【発明の属する技術分野】
この発明は、電気的に書き換え可能な不揮発性メモリにアドレス等の個別情報を記憶させる火災感知器に関する。
【０００２】
【従来の技術】
火災感知器は、アドレス等の様々な個別情報を記憶するため、従来からディップスイッチ等が用いられていたが、近年、ＥＥＰＲＯＭ等の不揮発性メモリが用いられるようになっている。この火災感知器におけるアドレス等の個別情報の設定および確認は、製造工場または設置現場等で携帯型の専用の設定器を火災感知器に接続して伝送信号の送受信を行い、個別情報をＥＥＰＲＯＭに書き込んだり、個別情報を設定器に表示することにより行っていた（例えば、特許文献１参照。）。
【０００３】
【特許文献１】
特開平７−２７２１７２号公報。
【０００４】
【発明が解決しようとする課題】
従って従来は、火災感知器の設置現場等でアドレス等の個別情報の変更が生じた場合や、設定されている個別情報の確認を行うには、専用の設定器を持っていなければ行えなかった。
【０００５】
この発明は、電気的に書き換え可能な不揮発性メモリに個別情報を記憶させる火災感知器に関するものであり、火災感知器の設置現場等において、アドレス等の個別情報の設定および確認を専用の設定器を用いずに容易に行える火災感知器を提供することを目的とする。
【０００６】
【課題を解決するための手段】
この発明は、電気的に書き換え可能な不揮発性メモリに個別情報を記憶させる火災感知器において、操作入力可能な入力手段と、前記個別情報を表示する表示手段と、前記入力手段の操作に基づく入力された個別情報を前記表示手段に表示させるとともに、前記不揮発性メモリに書き込む制御手段と、を備えたことを特徴とする。
【０００７】
またこの発明は、電気的に書き換え可能な不揮発性メモリに個別情報を記憶させる火災感知器において、操作入力可能な入力手段と、前記個別情報を表示する表示手段と、前記入力手段の操作に基づいて前記不揮発性メモリに設定されている個別情報を読み出して前記表示手段に表示させる制御手段と、を備えたことを特徴とする。
【０００８】
また、入力手段は、外部に露出するスイッチであり、さらに、制御手段は、入力手段の押圧回数に基づいて入力された個別情報を認識し、またさらに、表示手段は、筐体に露出する表示灯の点滅点灯回数によって個別情報を表示し、また、個別情報は、火災感知器のアドレス、種別、感度、火災閾値、故障閾値のうちの少なくとも１つである。
【０００９】
【実施例】
本発明の第１実施例を図１〜図６に基づいて説明する。図１は火災感知器のブロック図、図２は図１のＭＰＵの動作を示すフローチャートであり、図３は図２のアドレス設定・確認処理を示すフローチャートであり、図４は火災感知器と火災受信機の接続を示す図であり、図５は火災感知器を示す側面図、図６は火災感知器を示す平面図である。
【００１０】
図４に示すように、複数の火災感知器１は、電源兼信号線２０を介して火災受信機４０に接続されている。火災感知器１は、火災受信機４０から電源が供給されており、また、火災受信機４０からの各種信号を受信して、その要求に応じた各種信号を火災受信機４０に送信する。
【００１１】
図１に示すように、火災感知器１は、マイクロコンピュータ（以下、ＭＰＵという）２と、ＲＯＭ３と、ＥＥＰＲＯＭ４と、ＲＡＭ５と、火災検出部６と、送受信部８と、入力部１０と、表示部１２と、インターフェース（以下、ＩＦという）７、９、１１、１３とを備えている。
【００１２】
ＭＰＵ２は、火災感知器１の火災検出動作や信号出力動作等の全体を制御するとともに、個別情報を表示させたり書き込んだりするものであり、制御手段の一例である。ＲＯＭ３は、ＭＰＵ２のプログラム等が格納されるとともに、後述する図２、図３のフローチャートのプログラムが格納されている。ＥＥＰＲＯＭ４は、電気的に書き換え可能な不揮発性メモリの一例であり、このＥＥＰＲＯＭ４には、火災感知器１の個別情報として、火災感知器のアドレス、種別（熱式か煙式かなどの種別）、感度（一般的に１種〜３種の３種類あり、数値が大きくなる程鈍くなる）、火災閾値（火災と判断される火災感知器の出力レベルの閾値）、故障閾値（故障と判断される火災感知器の出力レベルの閾値）などが格納されている。ＲＡＭ５は、ＭＰＵ２の作業領域である。火災検出部６は、熱や煙等の各種火災現象を検出して、検出した物理量を出力するものであり、ＩＦ７を介してＭＰＵ２と接続されている。送受信部８は、火災受信機４０と各種信号の送受信を行うものであり、電源兼信号線２０を介して火災受信機４０と接続されており、また、ＩＦ９を介してＭＰＵ２と接続されている。入力部１０は、火災感知器１のアドレスなどの個別情報の設定および確認を行うため、作業員による操作入力が可能な入力手段の一例であり、ＩＦ１１を介してＭＰＵ２と接続されている。表示部１２は、火災感知器１のアドレスなどの個別情報を表示するものであり、ＩＦ１３を介してＭＰＵ２に接続されている。この表示部１２は、表示手段の一例である。
【００１３】
図５、図６に示すように、この火災感知器１は設置場所の天井面３０に取り付けられる。入力部１０としての押しボタンスイッチ１０Ａは、火災感知器１の筐体１４に設置現場の室内側に位置するように外部に露出して設けられており、これにより、設置現場でアドレスなどの個別情報の設定および確認を行う際に、作業員による押圧操作（操作入力）が可能となる。表示部１２としての表示灯１２Ａ（以下、ＬＥＤという）も同様に、火災感知器１の筐体１４に設置現場の室内側に位置するように外部に露出して設けられており、これにより、設置現場でアドレスなどの個別情報の設定および確認を行う作業員がＬＥＤ１２Ａの表示を確認できる。ＬＥＤ１２Ａは、アドレスなどの個別情報の設定および確認時において、ＬＥＤ１２Ａの点滅点灯回数によってアドレスなどの個別情報を表示する。また、アドレスなどの個別情報の設定および確認時における各種受付表示やエラー表示などの各種状態の表示を行う。なお、ＬＥＤ１２Ａは、火災検出時に点灯することで火災表示を行う、所謂確認灯を兼用している。これにより、火災感知器１の部品点数の削減が可能となる。なお、ＬＥＤ１２Ａをアドレスなどの個別情報の設定および確認用とし、別のＬＥＤを確認灯として設けるようにしてもよい。
【００１４】
つぎに、火災感知器１の動作を、図２、図３のフローチャートに基づいて説明する。なお、以下において、個別情報の設定および確認処理として、アドレスの設定および確認処理についてのみ示すが、その他の個別情報（種別、感度、火災閾値、故障閾値など）の場合も同様に行うことができる。
【００１５】
まず、図２において、火災感知器１に電源投入が行われると、ＭＰＵ２は初期設定を行い（ステップＳ１）、つぎに、作業者による押しボタンスイッチ１０Ａからの操作入力があるかを確認する（ステップＳ２）。押しボタンスイッチ１０Ａからのオン操作入力がないと（ステップＳ２）、監視動作を行う（ステップＳ３）。また、押しボタンスイッチ１０Ａからのオン操作入力があると（ステップＳ２）、アドレス設定・確認処理を行う（ステップＳ４）。そして、監視動作を行い（ステップＳ３）、ステップＳ２へ戻る。
【００１６】
ステップＳ３の監視動作において、ＭＰＵ２は、火災検出部６から出力された物理量レベルを予めＥＥＰＲＯＭ４に格納された火災閾値と比較し、火災を検知すると、ＬＥＤ１２Ａを点灯させて火災表示を行う。また、火災受信機４０からの要求に応じて、物理量レベルや火災信号等の各種信号を電源兼信号線２０を介して火災受信機４０に送信する。
【００１７】
ステップＳ４のアドレス設定・確認処理の詳細を図３のフローチャートに基づいて説明する。まず、ＭＰＵ２は、ＬＥＤ１２Ａを例えば０．３秒で１回点滅させる等のアドレス設定・確認処理入力の受付表示を行う（ステップＳ１０）。
【００１８】
つぎに、この受付表示を確認した作業者は、アドレス設定処理とアドレス確認処理のいずれかを選択するため、押しボタンスイッチ１０Ａの所定の押圧操作を行うので、ＭＰＵ２は、所定時間内（例えば３秒）の押しボタンスイッチ１０Ａのオン操作入力数をカウントする（ステップＳ１１）。そして、オン操作入力数に基づき入力内容を判断する（ステップＳ１２）。  例えば、オン操作入力数が２回の場合はアドレス設定処理入力であると判断して、後述するアドレス設定処理を実行し（ステップＳ２０〜ステップＳ２６）、また、オン操作入力数が３回の場合はアドレス確認処理入力であると判断して、後述するアドレス確認処理を実行し（ステップＳ３０〜ステップＳ３２）、また、オン操作入力数がそれ以外の場合は入力エラーであると判断して、ＬＥＤ１２Ａを３秒間点灯させる等のエラー表示を行い（ステップＳ４０）、そして、ステップＳ５０へ進む。
【００１９】
アドレス設定処理が選択された場合について説明すると、まず、ＭＰＵ２は、ＬＥＤ１２Ａを０．３秒間隔で２回点滅点灯させる等のアドレス設定処理入力の受付表示を行う（ステップＳ２０）。
【００２０】
つぎに、作業者は火災感知器１のアドレスを設定するため、設定したいアドレス値と同じ回数分、押しボタンスイッチ１０Ａの押圧操作（例えば設定アドレスが５の場合は５回の押圧操作）を行うので、ＭＰＵ２は、所定時間内（例えば３秒）の押しボタンスイッチ１０Ａのオン操作入力数をカウントし（ステップＳ２１）、オン操作入力数に基づく入力アドレスをＲＡＭ５に書き込み（ステップＳ２２）、ＬＥＤ１２Ａを入力アドレス値の回数だけ点滅点灯（例えば、５回の押圧操作があった場合は５回の点滅点灯）させて、入力アドレスの表示を行う（ステップＳ２３）。なお、設定したいアドレス値の桁数が大きい場合は、ステップＳ２０〜ステップＳ２３を循環させて、一桁毎にアドレス値を入力して、一桁毎にＬＥＤ１２Ａに表示させるようにしてもよい。このとき、ステップＳ２３とステップＳ２０とにおけるＬＥＤ１２Ａの表示を区別できるように所定時間の消灯時間を設けたりしたり、また、アドレス全体の入力完了後、例えば、各桁毎に所定間隔をあけつつ、各桁毎のアドレス値の数だけＬＥＤ１２Ａを点滅点灯させるなどして、入力アドレス全体を表示させてもよい。
【００２１】
その後、ＭＰＵ２は、押しボタンスイッチ１０Ａから、ＲＡＭ５に書き込まれた入力アドレスをＥＥＰＲＯＭ４へ書き込むための書込実行入力があるかを判断する（ステップＳ２４）。例えば、作業者が押しボタンスイッチ１０Ａを押圧操作せず、押しボタンスイッチ１０Ａのオン操作入力がないと、書込実行入力がないと判断し（ステップＳ２４）、ＬＥＤ１２Ａを３秒間点灯させる等のエラー表示を行い（ステップＳ４０）、ステップＳ５０へ進む。また、作業者が押しボタンスイッチ１０Ａを押圧操作して、押しボタンスイッチ１０Ａのオン操作入力があると、書込実行入力があると判断し（ステップＳ２４）、ＲＡＭ５に書き込まれた入力アドレスを設定アドレスとしてＥＥＰＲＯＭ４に書き込む（ステップＳ２５）。そして、ＭＰＵ２は、ＬＥＤ１２Ａを４回点滅させる等のアドレス書き込み完了の表示を行い（ステップＳ２６）、ステップＳ５０へ進む。
【００２２】
つぎに、アドレス確認処理が選択された場合について説明すると、まず、ＭＰＵ２は、ＬＥＤ１２Ａを３回点滅させる等のアドレス確認処理入力の受付表示を行う（ステップＳ３０）。そして、ＥＥＰＲＯＭ４に格納されている設定アドレスを読み出し（ステップＳ３１）、ＬＥＤ１２Ａを設定アドレス値の回数だけ点滅点灯（例えば、設定されているアドレスが５の場合は、５回の点滅点灯）させて、設定アドレスを表示し（ステップＳ３２）、ステップＳ５０へ進む。なお、設定アドレス値の桁数が大きい場合は、例えば、各桁毎に所定間隔をあけつつ、各桁毎のアドレス値の数だけＬＥＤ１２Ａを点滅点灯させるなどして、設定アドレス全体を表示させてもよい。
【００２３】
そして、上記したステップＳ２０〜ステップＳ４０の経過後に、作業者はアドレス設定処理とアドレス確認処理のいずれかを選択したい場合、再度、押しボタンスイッチ１０Ａの所定の押圧操作を行う。このとき、ＭＰＵ２は、所定時間内（例えば３秒）の押しボタンスイッチ１０Ａのオン操作入力数をカウントし（ステップＳ５０）、オン操作入力数に基づき入力内容を判断し（ステップＳ５１）、例えば、オン操作入力数が２回の場合はアドレス設定処理入力であると判断してステップＳ２０へ戻り、また、オン操作入力数が３回の場合はアドレス確認処理入力であると判断してステップＳ３０へ戻り、また、オン操作入力数がそれ以外の場合はアドレス設定・確認処理終了入力であると判断してステップＳ３へ戻ることで、アドレス設定・確認処理を終了させる。
【００２４】
このようにして、作業員は、火災感知器１の設置現場等において、アドレス等の個別情報の設定および確認を専用の設定器を用いることなく、火災感知器１における操作のみで、容易に行うことができる。
【００２５】
また、押しボタンスイッチ１０Ａが筐体１４外部に露出して設けられているので、作業員はスイッチ操作が容易に行える。さらに、押しボタンスイッチ１０Ａの押圧回数をアドレスとして認識するので、作業員は、１つのスイッチのみの簡易な構成でアドレス設定を行うことができる。また、ＬＥＤ１２Ａが筐体１４外部に露出して設けられており、点滅点灯した回数によってアドレスを表示するので、１つのＬＥＤのみの簡易な構成でアドレスを表示できる。なお、ＬＥＤ１２Ａは、アドレス表示の他に、アドレス設定処理および確認処理時における各種受付表示やエラー表示などの各種状態の表示も行うので、作業員は、アドレス設定処理および確認処理時の各ステップの状態を確認でき、スムーズに処理作業が行える。
【００２６】
なお、押しボタンスイッチ１０Ａによる各種入力操作は、ＭＰＵ２が各種入力操作に基づく各種入力内容を区別して判断できればよく、上記実施例に限定されない。また、ＬＥＤ１２Ａの点滅等による各種状態の表示も、作業員が各種表示が意味する状態を区別して判断できればよく、上記実施例に限定されない。
【００２７】
上記実施例において、電気的に書き換え可能な不揮発性メモリに記憶された火災感知器の個別情報のうち、アドレスの設定および確認を行う場合について示したが、その他の個別情報、例えば、火災感知器の種別、感度、火災閾値、故障閾であってもよく、また、それら複数の個別情報の設定および確認を行ってもよい。その場合は、ステップＳ１２において、複数の個別情報の設定処理入力および確認処理入力と押しボタンスイッチの押圧操作回数とを対応づけするなどすればよい。
【００２８】
また、上記実施例において、表示手段として視覚効果のあるＬＥＤを用いたが、それ以外の視覚効果のあるものでもよく、また、聴覚効果のあるブザー等であってもよい。
【００２９】
なお、上記実施例では、火災感知器は火災受信機から電源供給されているため、火災感知器を天井面に設置した状態でアドレス設定および確認作業を行うものであるが、火災感知器に内部電源を設けるようにすれば、火災感知器を天井面から取り外した状態でもアドレス設定および確認作業を行うことができる。その場合、火災感知器を天井等に取り付けた状態で、押しボタンスイッチが火災感知器筐体の天井内面側に位置するように露出して設けられると、いたずらされることがなくなり有用である。
【００３０】
【発明の効果】
本発明は、電気的に書き換え可能な不揮発性メモリに個別情報を記憶させる火災感知器において、操作入力可能な入力手段と、前記個別情報を表示する表示手段と、前記入力手段の操作に基づく入力された個別情報を前記表示手段に表示させるとともに、前記不揮発性メモリに書き込む制御手段と、を備えたので、作業員は、火災感知器の設置現場等において、アドレス等の個別情報の設定を専用の設定器を用いることなく、火災感知器における操作のみで、容易に行うことができる。
【００３１】
また本発明は、電気的に書き換え可能な不揮発性メモリに個別情報を記憶させる火災感知器において、操作入力可能な入力手段と、前記個別情報を表示する表示手段と、前記入力手段の操作に基づいて前記不揮発性メモリに設定されている個別情報を読み出して前記表示手段に表示させる制御手段と、を備えたので、作業員は、火災感知器の設置現場等において、アドレス等の個別情報の確認を専用の設定器を用いることなく、火災感知器における操作のみで、容易に行うことができる。
【００３２】
また、入力手段は、外部に露出するスイッチであるので、作業員はスイッチ操作が容易に行える。
【００３３】
また、制御手段は、入力手段の押圧回数に基づいて入力された個別情報を認識するので、作業員は、１つのスイッチのみの簡易な構成でアドレス等の個別情報の設定を行うことができる。
【００３４】
また、表示手段は、筐体に露出する表示灯の点滅点灯回数によって個別情報を表示するので、１つの表示灯のみの簡易な構成でアドレス等の個別情報を表示できる。
【００３５】
また、個別情報は、火災感知器のアドレス、種別、感度、火災閾値、故障閾値のうちの少なくとも１つであるので、それぞれの個別情報の設定および確認を行うことができる。
【図面の簡単な説明】
【図１】本発明の第１実施例を示す、火災感知器のブロック図である。
【図２】図１のＭＰＵの動作を示すフローチャートである。
【図３】図２のアドレス設定・確認処理を示すフローチャートである。
【図４】火災感知器と火災受信機の接続を示す図である。
【図５】火災感知器を示す側面図である。
【図６】火災感知器を示す平面図である。
【符号の説明】
１  火災感知器
２  ＭＰＵ（制御手段）
４  ＥＥＰＲＯＭ（不揮発性メモリ）
１０  入力部（入力手段）
１２  表示部（表示手段）
【図１】
2004303084.tif 000003
【図２】
2004303084.tif 000004
【図３】
2004303084.tif 000005
【図４】
2004303084.tif 000006
【図５】
2004303084.tif 000007
【図６】
2004303084.tif 000008